(57)【要約】      （修正有）【課題】スライドブロックをブラケット本体に対し円滑に移動させて、ヘッドボックスの着脱作業を容易に行い得るブラインドの取付ブラケットを提供する。【解決手段】スライドブロック１２には、ブラケット本体に係合して該スライドブロック１２を保持位置と待機位置に保持する係止部２８を設け、ブラケット本体には係止部２８を保持位置から待機位置に向かって案内する斜面２０ａを備えた。【選択図】図４
0003150555.tif 000002
【実用新案登録請求の範囲】
【請求項１】
ブラケット本体にスライドブロックをスライド可能に支持し、前記ブラケット本体とスライドブロックに掛止部を設け、前記スライドブロックを待機位置とヘッドボックスの保持位置との間でスライドさせてヘッドボックスを着脱可能とした取付ブラケットにおいて、
前記スライドブロックには、前記ブラケット本体に係合して該スライドブロックを前記保持位置と待機位置に保持する係止部を設け、前記ブラケット本体には前記係止部を前記保持位置から待機位置に向かって案内する斜面を備えたことを特徴とするヘッドボックスの取付ブラケット。
【請求項２】
前記係止部は、
前記スライドブロックを前記保持位置に保持する第一の係止部と、
前記スライドブロックを前記待機位置に保持する第二の係止部と
を備え、
前記ブラケット本体には前記第二の係止部を前記保持位置から前記待機位置に向かって案内する斜面を備えたことを特徴とする請求項１記載のヘッドボックスの取付ブラケット。
【請求項３】
前記スライドブロックを合成樹脂で形成し、前記ブラケット本体は金属板を折り曲げて形成したことを特徴とする請求項１又は２記載のヘッドボックスの取付ブラケット。
【請求項４】
前記ブラケット本体に前記スライドブロックをスライド可能に支持する支持片を設け、
前記支持片に前記斜面を設けたことを特徴とする請求項２又は３記載のヘッドボックスの取付ブラケット。
【請求項５】
前記支持片には前記斜面を形成する凹みを設け、前記第二の係止部は前記保持位置で前記凹み内に位置し、前記待機位置への移動により前記斜面上を移動して前記支持片の端縁に係合することを特徴とする請求項４記載のヘッドボックスの取付ブラケット。
【考案の詳細な説明】
【技術分野】
【０００１】
この考案は、横型ブラインド、縦型ブラインド、プリーツカーテン、たくし上げカーテン、ロールブラインド等のヘッドボックスやカーテンレールを取付面に固定する取付ブラケットに関するものである。
【背景技術】
【０００２】
取付ブラケットは、ブラケット本体に、弾性を有する合成樹脂等で形成されたスライドブロックをスライド可能に支持している。そして、スライドブロックを待機位置に保持した状態でヘッドボックスの一側をブラケット本体に掛止めし、この状態でヘッドボックスでスライドブロックの係止片を押圧することにより、スライドブロックを付勢手段の付勢力でヘッドボックス保持位置までスライドさせてヘッドボックスの他側を係止するようになっている。
【０００３】
図６は、ヘッドボックス保持位置にあるスライドブロック１の係止片２と、ブラケット本体３の支持片４とを示す。ヘッドボックス保持位置では、係止片２に設けられた係止爪５が支持片４に設けられた係止孔６に係合して、付勢手段による矢印Ａ方向の付勢力に抗してスライドブロック１がヘッドボックス７を保持する位置に位置決めされる。
【０００４】
一方、図６に示す保持位置からスライドブロック１を付勢手段の付勢力に抗して矢印Ｂ方向にスライドさせると、係止爪５が係止孔６の基端側の係合部８を乗り越えて、図７に示す待機位置に移動する。
【０００５】
この状態では、係止爪５が係合部８に係合して、付勢手段による矢印Ａ方向の付勢力に抗してスライドブロック１が待機位置に保持される。
上記のような取付ブラケットに類似する構成が特許文献１に開示されている。
【先行技術文献】
【特許文献】
【０００６】
【特許文献１】特許第２６３６０６１号
【考案の概要】
【考案が解決しようとする課題】
【０００７】
上記のような取付ブラケットでは、図６に示すヘッドボックス保持位置から図７に示す待機位置に移動させるために、スライドブロック１を矢印Ｂ方向にスライドさせるとき、係止爪５に連なる斜面９が係合部８に乗り上げながら移動する。
【０００８】
すると、係止爪６の斜面９が係合部８の角部１０に強く擦れながら移動するため、スライドブロック１を待機位置までスライドさせるための操作力が増大する。また、角部１０にバリ等が生成されていると、斜面９が削られてさらに大きな操作力が必要となる。
【０００９】
この考案の目的は、スライドブロックをブラケット本体に対し円滑に移動させて、ヘッドボックスの着脱作業を容易に行い得るブラインドの取付ブラケットを提供することにある。
【課題を解決するための手段】
【００１０】
請求項１では、ブラケット本体にスライドブロックをスライド可能に支持し、前記ブラケット本体とスライドブロックに掛止部を設け、前記スライドブロックを待機位置とヘッドボックスの保持位置との間でスライドさせてヘッドボックスを着脱可能とした取付ブラケットにおいて、前記スライドブロックには、前記ブラケット本体に係合して該スライドブロックを前記保持位置と待機位置に保持する係止部を設け、前記ブラケット本体には前記係止部を前記保持位置から待機位置に向かって案内する斜面を備えた。
【００１１】
請求項２では、前記係止部は、前記スライドブロックを前記保持位置に保持する第一の係止部と、前記スライドブロックを前記待機位置に保持する第二の係止部とを備え、前記ブラケット本体には前記第二の係止部を前記保持位置から前記待機位置に向かって案内する斜面を備えた。
【００１２】
請求項３では、前記スライドブロックを合成樹脂で形成し、前記ブラケット本体は金属板を折り曲げて形成した。
請求項４では、前記ブラケット本体に前記スライドブロックをスライド可能に支持する支持片を設け、前記支持片に前記斜面を設けた。
【００１３】
請求項５では、前記支持片には前記斜面を形成する凹みを設け、前記第二の係止部は前記保持位置で前記凹み内に位置し、前記待機位置への移動により前記斜面上を移動して前記支持片の端縁に係合する。
【考案の効果】
【００１４】
本考案によれば、スライドブロックをブラケット本体に対し円滑に移動させて、ヘッドボックスの着脱作業を容易に行い得るブラインドの取付ブラケットを提供することができる。
【図面の簡単な説明】
【００１５】
【図１】取付ブラケットを示す分解斜視図である。
【図２】ブラケット本体を示す断面図である。
【図３】スライドブロックを示す側面図である。
【図４】取付ブラケットの動作を示す断面図である。
【図５】取付ブラケットの動作を示す断面図である。
【図６】従来例を示す断面図である。
【図７】従来例を示す断面図である。
【考案を実施するための形態】
【００１６】
以下、この考案を具体化した一実施形態を図面に従って説明する。図１に示す取付ブラケットは、金属板を折り曲げて形成されたブラケット本体１１と、弾性を有する合成樹脂で成形されたスライドブロック１２と、スライドブロック１２を付勢する付勢手段として動作するコイルスプリング１３とを備える。
【００１７】
前記ブラケット本体１１は、金属板をＬ形に折り曲げて水平辺１４と垂直辺１５が形成され、水平辺１４の両側部は下方に直角に折り曲げられて側辺１６ａ，１６ｂが形成されている。また、前記側辺１６ａ，１６ｂの中央部下縁はさらに内側へ水平方向に折り曲げられて、互いに対向する支持片１７ａ，１７ｂが形成されている。
【００１８】
一方の前記支持片１７ａは、図２に示すように、その上面に凹み１８が形成されている。この凹み１８には中央の最深部１９から支持片１７ａの長手方向両側に向かって上昇する斜面２０ａ，２０ｂが形成されている。この凹み１８は側辺１６ａ，１６ｂ及び支持片１７ａ，１７ｂの折り曲げに先立って、プレス加工により形成される。
【００１９】
前記水平辺１４の先端部において、前記側辺１６ａ，１６ｂには図４に示すヘッドボックス２１の一側を掛止めする掛止め部２２が形成されている。また、前記水平辺１４の中央部及び垂直辺１５の中央部には、このブラケット本体１１をビスで取付面に固定するための取付孔２３が形成されている。
【００２０】
前記側辺１６ｂの長手方向中間部には、前記スライドブロック１２のスライド範囲を設定するスライド孔２４が形成されている。
前記スライドブロック１２は、前記ブラケット本体１１の水平辺１４と支持辺１７ａ，１７ｂとの間に挿入可能とした厚さを備えた直方体状に形成され、その基端部にヘッドボックス２１の上縁を掛止め可能とした掛止部２５が形成されている。
【００２１】
また、図３に示すように、スライドブロック１２の一側には、同スライドブロック１２の中間部から基端側に向かって延びる係止片２６が形成され、その係止片２６の下面には下方に鉤形に向かって突出する第一の係止部２７と、下方に爪状に突出する第二の係止部２８が形成されている。第一の係止部２７が係止片２６の先端側に形成され、第二の係止部２８が係止片２６の中間部に形成されている。
【００２２】
そして、スライドブロック１２を水平辺１４と支持片１７ａ，１７ｂとの間に挿入すると、第一の係止部２７が支持片１７ａの上面に当接して上方へ撓みながら移動し、図４に示すように、第一の係止部２７が支持片１７ａの基端縁に達すると支持片１７ａに係合して掛止部２５でヘッドボックス２１他側上縁を保持可能となる。このとき、第二の係止部２８は支持片１７ａの凹み１８上に位置する。
【００２３】
また、図５に示すように、第二の係止部２８が支持片１７ａの基端縁に係合するまでスライドさせると、掛止部２５とヘッドボックス２１の他側上縁との係合が解除されるようになっている。
【００２４】
前記スライドブロック１２の他側には、その先端部が前記ブラケット本体１１のスライド孔２４内を移動する保持片２９が形成されている。そして、水平辺１４と支持片１７ａ，１７ｂとの間に挿入されたスライドブロック１２は、保持片２９がスライド孔２４内を移動する範囲で、ブラケット本体１１に対しスライド可能となっている。
【００２５】
前記スライドブロック１２の基端部には、前記コイルスプリング１３の一端を保持する凹部３０が形成されている。そして、スライドブロック１２をブラケット本体１１に挿入した状態では、コイルスプリング１３がブラケット本体１１の垂直辺１５を支点として、スライドブロック１２を先端側、すなわち図４に示す矢印Ａ方向に付勢するようになっている。
【００２６】
前記ブラケット本体１１の垂直辺１５の下端部にはクッションゴム３１が取着され、図４に示すように、ヘッドボックス２１の後側面に弾性的に当接して掛止部２２，２５に支持されたヘッドボックス２１のがたつきを防止するとともに、ヘッドボックス２１の長手方向の移動を防止するようになっている。
【００２７】
次に、上記のように構成された取付ブラケットの作用を説明する。スライドブロック１２を挿入したブラケット本体１１を取付面に固定する。この状態で、スライドブロック１２をブラケット本体１１に押し込んで図４に示す状態から図５に示す待機状態とする。
【００２８】
このとき、第二の係止部２８は支持辺１７ａの凹み１８上に位置する状態から斜面２０ａ上を移動し、やがて図５に示すように第二の係止部２８が支持辺１７ａの端縁に係合する状態となる。
【００２９】
図５に示す待機状態で、ヘッドボックス２１の一側上縁をブラケット本体１１の掛止部２２に引っ掛け、ヘッドボックス２１の他側上縁で第一の係止部２７を上方へ押し上げると、第二の係止部２８と支持片１７ａとの係合が外れる。すると、コイルスプリング１３の付勢力によりスライドブロック１２がスライドして、図４に示すように、ヘッドボックス２１の他側上縁がスライドブロック１２の掛止部２５に支持される。
【００３０】
また、図４に示す状態からスライドブロック１２をコイルスプリング３０の付勢力に抗して押し込み、図５に示すように第二の係止部２８を支持片１７ａの基端縁に係合させると、掛止部２５がヘッドボックス２１の他側上縁から外れる。そして、ヘッドボックス２１の他側を下方へ回動させ、一側上縁をブラケット本体１１の掛止部２２から外すと、この取付ブラケットからヘッドボックス２１を取り外し可能である。
【００３１】
上記のように構成された取付ブラケットでは、次に示す作用効果を得ることができる。
（１）スライドブロック１２を図５に示す待機状態に押し込むとき、第二の係止部２８が支持片１７ａの凹み１８の斜面２０ａに沿って移動するので、スライドブロック１２を軽微な操作力で押し込むことができる。
（２）スライドブロック１２を図５に示す待機状態に押し込むとき、第二の係止部２８は削られないので、ヘッドボックス２１の着脱作業を繰り返しても、スライドブロック１２を押し込むための操作力が増大することはない。
【００３２】
上記実施形態は、以下の態様で実施してもよい。
・スライドブロックを金属で形成してもよい。
・スライドブロックをコイルスプリング以外の付勢手段で付勢してもよい。
【符号の説明】
【００３３】
１１…ブラケット本体、１２…スライドブロック、１３…コイルスプリング、１７ａ…支持片、１８…凹み、２０ａ…斜面、２１…ヘッドボックス、２２，２５…掛止部、２７，２８…係止部。
【図１】
0003150555.tif 000003
【図２】
0003150555.tif 000004
【図３】
0003150555.tif 000005
【図４】
0003150555.tif 000006
【図５】
0003150555.tif 000007
【図６】
0003150555.tif 000008
【図７】
0003150555.tif 000009